(57)【要約】      （修正有）【課題】漏電が発生することを防いで安全を確保し、蛇口付近の空間が占有されることを防ぐ蛇口に着脱自在かつ充電式の水電解装置を提供する。【解決手段】蛇口に直接取り付ける着脱自在かつ充電式の水電解装置は、ベース１、電解槽２及び着脱自在蓋体３を備える。ベース１は、蛇口に取り付ける注水口１１と、装着口１５とを有する。電解槽２は、ベース１の装着口１５に取り付けられ、内部にフィルタ２１が設けられたタンクを有し、タンクの内側には、酸性水とアルカリ性水とに分離する正負電極２２が設けられ、フィルタ２１の上方には、磁性体２３１を有するタービン２３が回転可能に設けられ着脱自在蓋体３は、電解槽２上に嵌合し、内部に、充電池に接続された電気制御モジュール３１が設けられる。【選択図】図１
0003158712.tif 000002
【実用新案登録請求の範囲】
【請求項１】
ベース、電解槽及び着脱自在蓋体を備える蛇口に直接取り付ける着脱自在かつ充電式の水電解装置であって、
前記ベースは、蛇口に取り付ける注水口と、装着口とを有し、
前記電解槽は、前記ベースの前記装着口に取り付けられ、内部にフィルタが設けられたタンクを有し、前記タンクの内側には、酸性水とアルカリ性水とに分離する正負電極が設けられ、前記フィルタの上方には、磁性体を有するタービンが回転可能に設けられ、
前記着脱自在蓋体は、前記電解槽上に嵌合し、充電電池に接続された電気制御モジュールが内部に設けられ、前記電気制御モジュールは、前記電解槽内の前記正負電極と導通した電源電極を有し、前記電気制御モジュールの中には、マイコンが設けられ、前記マイコンは、流速センサ素子と接続され、前記流速センサ素子は、前記電解槽のタービンが有する磁性体に対応した箇所に設けられていることを特徴とする、
蛇口に直接取り付ける着脱自在かつ充電式の水電解装置。
【請求項２】
ベース、電解槽、蓋体部及び着脱自在蓋体を備える蛇口に直接取り付ける着脱自在かつ充電式の水電解装置であって、
前記ベースは、蛇口に取り付ける注水口と、装着口とを有し、
前記電解槽は、前記ベースの前記装着口に取り付けられ、内部にフィルタが設けられたタンクを有し、前記タンクの内側には、酸性水とアルカリ性水とに分離する正負電極が設けられ、前記フィルタの上方には、磁性体を有するタービンが回転可能に設けられ、
前記蓋体部は、前記電解槽上に嵌合し、内部に電気制御モジュールが設けられ、前記電気制御モジュールは、前記電解槽内の正負電極と導通した電源電極を有し、前記電気制御モジュールの中には、マイコンが設けられ、前記マイコンは、流速センサ素子と接続され、前記流速センサ素子は、前記電解槽の前記タービンが有する前記磁性体に対応した箇所に設けられ、
前記着脱自在蓋体は、前記蓋体部上に取り付けられ、内部に充電電池が配置され、前記充電電池は、前記電気制御モジュールと接続され、前記電解槽に必要な電力を供給することを特徴とする、
蛇口に直接取り付ける着脱自在かつ充電式の水電解装置。
【請求項３】
前記蓋体部の外周には、前記水電解装置の状態を示す表示モニタが設けられていることを特徴とする請求項２に記載の蛇口に直接取り付ける着脱自在かつ充電式の水電解装置。
【考案の詳細な説明】
【技術分野】
【０００１】
本考案は、蛇口に直接取り付ける着脱自在かつ充電式の水電解装置に関し、特に、着脱自在蓋体により充電電池で水電解装置の充電を行い、蛇口付近にプラグ受けが無くとも使用することができる上、漏電が発生することを防いで安全を確保し、蛇口付近の空間が占有されることを防ぎ、電気を節減して簡便に使用し、蛇口に直接取り付ける着脱自在かつ充電式の水電解装置に関する。
【背景技術】
【０００２】
本考案者は、多数の水電解装置に関する技術を開示している（例えば、特許文献１）。特許文献１で開示する外付け電源が不要な水電解装置は、ベース、電解槽及びコントローラを備える。
【０００３】
ベースは、給水源に取り付ける注水口を有する。この注水口の下方には、水道水／電解水を選択する選択バルブが設けられている。この選択バルブには、水道水の排水口及び水流路が設けられている。この水流路の内側には、磁性体を有するタービンが設けられ、磁性体に対応するように、水流路の外部には誘導コイルが巻き付けられている。この水流路は、装着口に連通する。ベース上には、電解水の排水口及び廃水の排水口が設けられている。
【０００４】
電解槽は、内部に濾過材を有するタンクを取り付ける装着口を有する。タンクの内部には、酸性水とアルカリ性水とに分離するために用いる正電極及び負電極が設けられている。
【０００５】
コントローラは、ベース上に対応するように取り付けられ、内部に回路基板が設けられ、ベース上の誘導コイルと接続されるとともに、電解槽の中に設けられた正電極及び負電極に電源を供給する電源にコントローラが導通されている。
【０００６】
しかし、上述の水電解装置は、水圧及び電源の供給が十分な地域でなければ電解機能を得ることができない。そのため、水圧又は電源の供給が十分でない地域では、商用電源により、水電解装置に必要な電源を供給する必要があった。しかし、商用電源により電源を供給する場合、（１）蛇口付近にプラグ受けが無い場合があったり、（２）装置の組み立てが複雑であったり、（３）漏水した場合、漏電により感電したり、（４）市販の水電解装置の体積が大きすぎて蛇口付近の空間が占有されたりする問題点がある。
【先行技術文献】
【特許文献】
【０００７】
【特許文献１】台湾実用新案登録第３６２８５１号公報
【考案の概要】
【考案が解決しようとする課題】
【０００８】
本考案の目的は、着脱自在蓋体により充電電池で水電解装置の充電を行うことにより、蛇口付近にプラグ受けが無くとも使用することができる上、漏電が発生することを防いで安全を確保し、蛇口付近の空間が占有されることを防ぎ、電気を節減して簡便に使用し、蛇口に直接取り付ける着脱自在かつ充電式の水電解装置を提供することにある。
【課題を解決するための手段】
【０００９】
上記課題を解決するために、本考案の第１の形態によれば、ベース、電解槽及び着脱自在蓋体を備える蛇口に直接取り付ける着脱自在かつ充電式の水電解装置であって、前記ベースは、蛇口に取り付ける注水口と、装着口とを有し、前記電解槽は、前記ベースの前記装着口に取り付けられ、内部にフィルタが設けられたタンクを有し、前記タンクの内側には、酸性水とアルカリ性水とに分離する正負電極が設けられ、前記フィルタの上方には、磁性体を有するタービンが回転可能に設けられ、前記着脱自在蓋体は、前記電解槽上に嵌合し、充電電池に接続された電気制御モジュールが内部に設けられ、前記電気制御モジュールは、前記電解槽内の前記正負電極と導通した電源電極を有し、前記電気制御モジュールの中には、マイコンが設けられ、前記マイコンは、流速センサ素子と接続され、前記流速センサ素子は、前記電解槽のタービンが有する磁性体に対応した箇所に設けられていることを特徴とする蛇口に直接取り付ける着脱自在かつ充電式の水電解装置が提供される。
【００１０】
本考案の第２の形態によれば、ベース、電解槽、蓋体部及び着脱自在蓋体を備える蛇口に直接取り付ける着脱自在かつ充電式の水電解装置であって、前記ベースは、蛇口に取り付ける注水口と、装着口とを有し、前記電解槽は、前記ベースの前記装着口に取り付けられ、内部にフィルタが設けられたタンクを有し、前記タンクの内側には、酸性水とアルカリ性水とに分離する正負電極が設けられ、前記フィルタの上方には、磁性体を有するタービンが回転可能に設けられ、前記蓋体部は、前記電解槽上に嵌合し、内部に電気制御モジュールが設けられ、前記電気制御モジュールは、前記電解槽内の正負電極と導通した電源電極を有し、前記電気制御モジュールの中には、マイコンが設けられ、前記マイコンは、流速センサ素子と接続され、前記流速センサ素子は、前記電解槽の前記タービンが有する前記磁性体に対応した箇所に設けられ、前記着脱自在蓋体は、前記蓋体部上に取り付けられ、内部に充電電池が配置され、前記充電電池は、前記電気制御モジュールと接続され、前記電解槽に必要な電力を供給することを特徴とする蛇口に直接取り付ける着脱自在かつ充電式の水電解装置が提供される。
【００１１】
また、前記蓋体部の外周には、前記水電解装置の状態を示す表示モニタが設けられていることが好ましい。
【考案の効果】
【００１２】
本考案の蛇口に直接取り付ける着脱自在かつ充電式の水電解装置は、着脱自在蓋体により充電電池で水電解装置の充電を行うことにより、蛇口付近にプラグ受けが無くとも使用することができる上、漏電が発生することを防いで安全を確保し、蛇口付近の空間が占有されることを防ぎ、電気を節減して簡便に使用することができる。
【図面の簡単な説明】
【００１３】
【図１】本考案の一実施形態による水電解装置を示す断面図である。
【図２】本考案の一実施形態による電解槽及び着脱自在蓋体を示す分解断面図である。
【図３】本考案の一実施形態による電解槽と着脱自在蓋とを組み合わせたときの状態を示す断面図である。
【図４】本考案の一実施形態による着脱自在蓋体を示す分解断面図である。
【図５】本考案の一実施形態による充電電池を充電するときの状態を示す断面図である。
【図６】本考案の他の実施形態による水電解装置を示す断面図である。
【考案を実施するための形態】
【００１４】
以下、本考案の実施形態について図に基づいて説明する。なお、これによって本考案が限定されるものではない。
【００１５】
図１〜図３を参照する。図１〜図３に示すように、本考案の一実施形態による蛇口に直接取り付ける着脱自在かつ充電式の水電解装置は、ベース１、電解槽２及び着脱自在蓋体３を含む。
【００１６】
ベース１は、蛇口を取り付ける注水口１１を有する。注水口１１の下方には、水道水／電解水を選択するために用いる選択バルブ１２が設けられている。選択バルブ１２には、水道水の排水口１３及び水流路１４が設けられている。水流路１４は、装着口１５と連通する。ベース１は、電解水の排水口１６及び廃水の排水口１７を有する。
【００１７】
電解槽２は、ベース１の装着口１５に取り付け、内部にフィルタ２１を有するタンクが設けられている。タンクの内側には、酸性水とアルカリ性水とに分離するために用いる正負電極２２が設けられている。フィルタ２１の上方には、磁性体２３１が設けられたタービン２３が回転可能に設けられている。
【００１８】
着脱自在蓋体３は、電解槽２の上方に嵌合し、内部に設けられた電気制御モジュール３１は、充電電池３２と接続している。電気制御モジュール３１は、電解槽２内に設けられた正負電極２２と導通した電源電極３１１を有する。電気制御モジュール３１の中には、マイコン３１２が設けられている。マイコン３１２は、流速センサ素子３３と接続されている。流速センサ素子３３は、電解槽２のタービン２３に設けられた磁性体２３１に対応した箇所に設ける。
【００１９】
図１〜図５を参照する。図１〜図５に示すように、本考案の一実施形態による蛇口に直接取り付ける着脱自在かつ充電式の水電解装置を実際に使用する際は、蛇口にベース１の注水口１１を取り付ける。ベース１上の装着口１５には、電解槽２が取り付けられている。電解槽２の内側には、所定のフィルタ２１が取り付けられるとともに、電解槽２の上方を着脱自在蓋体３で覆い、電解槽２の中に設けた正負電極２２と、電気制御モジュール３１の電源電極３１１を導通させる。水電解装置を使用し始める際は、選択バルブ１２により、電解水又は水道水を選択する。選択バルブ１２により水道水を選択した場合、水道水の排水口１３を介して直接、水を排水することができる。
【００２０】
また、選択バルブ１２により電解水を選択した場合、水道水が水流路１４に流れ、電解槽２に配置したフィルタ２１に入ると、水の勢いによりタービン２３が回転する。これにより、タービン２３が有する磁性体２３１と、流速センサ素子３３とに誘導作用が発生するとともに、流速センサ素子により流速を検出してマイコンに知らせ、電気制御モジュール３１に接続された充電電池３２により必要な電力を供給する。
【００２１】
充電電池３２の電力を全て使い果たした場合、ユーザは充電電池３２を取り外し、充電モジュール４に接続して充電を行う。その後、充電後の充電電池３２を水電解装置に再び設置して使用する。これにより、本実施形態は、蛇口付近にプラグ受けが無い場合でも使用できる上、直流電源を使用するため、漏水しても漏電による感電を防ぐことができる。また、システムが小型であるため、蛇口付近の空間を占有することがない上、電気を節減して簡便に使用することができる。
【００２２】
電解槽及びベースの機能は、特許文献１の水電解装置と同じであるため、ここでは詳しく述べない。着脱自在蓋体３上に設けられた酸アルカリ選択ボタン３４により、電解水を選択した場合、酸性又はアルカリ性の電解濾過を行う。着脱自在蓋体３に設けられた表示モニタ３５は、水電解装置の状態（例えば、電力、酸性又はアルカリ性の選択状態、フィルタの残り寿命など）を表示するために用いる。
【００２３】
図６を参照する。図６に示すように、本考案の他の実施形態による蛇口に直接取り付ける充電式水電解装置のベース１及び電解槽２は、上述の実施形態と同じである。電解槽２には、内部に電気制御モジュール５１を有する蓋体部５が設けられている。電気制御モジュール５１は、電解槽２内の正負電極２２と導通した電源電極５１１を有する。電気制御モジュール５１の中には、流速センサ素子５３と接続されたマイコン５１２が設けられている。流速センサ素子５３は、電解槽２のタービン２３が有する磁性体２３１に対応した箇所に設けられている。蓋体部５には、着脱自在蓋体５２が取り付けられている。着脱自在蓋体５２は、内部に充電電池５２１が配置され、電気制御モジュール５１と接続され、電解槽２に必要な電力が供給される。
【００２４】
上述の実施形態では、着脱自在蓋体５２の内部に充電電池５２１が設置されているため、本体を分解せずに着脱自在蓋体５２だけを取り外し、充電電池５２１を充電することができるため便利である。また、蓋体部５に設けた酸アルカリ選択ボタン５４により、電解水を選択する場合、酸性又はアルカリ性の電解濾過を行うことができる。同時に、蓋体部５の外周に設けた表示モニタ５５により、水電解装置の状態（例えば、電力、酸性又はアルカリ性の選択状態、フィルタの残り寿命など）を表示することができる。
【００２５】
上述したことから分かるように、本考案の蛇口に直接取り付ける着脱自在かつ充電式の水電解装置は、以下（１）及び（２）の長所を備える。
（１）流水により、磁性体を有するタービンを回転させ、流速センサ素子により流体速度を検出してマイコンに知らせる。また、水電解に必要な電力は、充電電池により供給される。
（２）着脱自在蓋体を取り外して充電電池を充電することができるため、蛇口付近にプラグ受けが無くとも使用することができる上、直流電源を使用するため、漏水しても漏電による感電を防ぐことができる。また、システムが小型なため、蛇口付近の空間を占有せず、電気を節減して簡便に使用することができる。
【００２６】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２７】
１  ベース
２  電解槽
３  着脱自在蓋体
４  充電モジュール
５  蓋体部
１１  注水口
１２  選択バルブ
１３  水道水の排水口
１４  水流路
１５  装着口
１６  電解水の排水口
１７  廃水の排水口
２１  フィルタ
２２  正負電極
２３  タービン
３１  電気制御モジュール
３２  充電電池
３３  流速センサ素子
３４  酸アルカリ選択ボタン
３５  表示モニタ
５１  電気制御モジュール
５２  着脱自在蓋体
５３  流速センサ素子
５４  酸アルカリ選択ボタン
５５  表示モニタ
２３１  磁性体
３１１  電源電極
３１２  マイコン
５１１  電源電極
５１２  マイコン
５２１  充電電池
【図１】
0003158712.tif 000003
【図２】
0003158712.tif 000004
【図３】
0003158712.tif 000005
【図４】
0003158712.tif 000006
【図５】
0003158712.tif 000007
【図６】
0003158712.tif 000008